(57)【要約】【課題】パネルに対して簡易かつ迅速に固定が可能であるとともに安定的に固定することができる、電気機器を提供する。【解決手段】電気機器１０は、筐体と電気機器用取付具３００とを備える。電気機器用取付具３００は、筐体がパネル４００に取り付け可能になる第１の位置と筐体がパネル４００に取り付け不能になる第２の位置との間で移動するように、筐体に回動可能に組付けられる。筐体の周側面には、鍔部１１１と軸部１２２とが設けられる。電気機器用取付具３００は、ベース部３２０、軸部１２２に回転可能に係合する係合部３２２およびネジ部３１０を含む。電気機器１０は、電気機器用取付具３００が第２の位置から第１の位置に移動され、ネジ部３１０がベース部３２０に対して捻じ込まれることにより、鍔部１１１とネジ部３１０とによってパネル４００に設けられた開口の周縁が挟持され、パネル４００に固定される。【選択図】図１１
2014192410.tif 000002
【特許請求の範囲】
【請求項１】
パネルに設けられた開口に嵌め込まれて固定される電気機器であって、
パネルに固定された状態においてパネルよりも前方に位置する部分とパネルよりも後方に位置する部分とを含む筐体と、
前記筐体をパネルに対して着脱可能に取り付けるための電気機器用取付具とを備え、
前記電気機器用取付具は、前記筐体がパネルに対して取り付け可能になる第１の位置と、前記筐体がパネルに対して取り付け不能になる第２の位置との間で移動するように、前記筐体に対して回動可能に組付けられ、
前記筐体の周側面には、外側に向けて立設された鍔部と、当該筐体の周方向に沿って延在する軸部とが設けられ、
前記電気機器用取付具は、ネジ穴が設けられたベース部と、前記ベース部から延設され、前記軸部に回転可能に係合する係合部と、前記ネジ穴に螺合するネジ部とを含み、
前記電気機器用取付具は、前記第１の位置に配置された状態において、前記ネジ部の先端が前記鍔部に対向するように配置され、前記第２の位置に配置された状態において、前記ネジ部の先端が前記鍔部に対向しないように配置され、
前記筐体は、前記電気機器用取付具が前記第１の位置に配置された状態において、前記ベース部が後方に向けて移動することを規制する移動規制部を含み、
パネルに設けられた開口に嵌め込まれた状態において、前記電気機器用取付具が前記第２の位置から前記第１の位置に移動され、その後前記ネジ部が前記ベース部に対して捻じ込まれることにより、前記移動規制部によって前記ベース部の後方に向けての移動が規制されることで前記鍔部と前記ネジ部とによってパネルに設けられた開口の周縁が挟持され、これにより前記筐体が前記電気機器用取付具によってパネルに対して取り付けられることでパネルに固定される、電気機器。
【請求項２】
前記電気機器用取付具は、前記ベース部から延設された係止部をさらに含み、
前記移動規制部が、前記係止部に当接する突き当たり面にて構成されている、請求項１に記載の電気機器。
【請求項３】
前記係合部および前記係止部が、いずれもフック形状を有している、請求項２に記載の電気機器。
【請求項４】
前記係合部が、前記軸部の延在方向に沿って一対並ぶように前記ベース部から延設され、
前記係止部が、一対の前記係合部の間に位置する部分の前記ベース部から延設されている、請求項２または３に記載の電気機器。
【請求項５】
前記筐体は、前記電気機器用取付具が前記第２の位置にある状態において前記電気機器用取付具に当接することで前記電気機器用取付具の回動を規制する軽保持部をさらに含み、
前記軽保持部による規制に抗して前記電気機器用取付具が回動することにより、前記電気機器用取付具が、前記第２の位置から前記第１の位置に移動可能になる、請求項１から４のいずれかに記載の電気機器。
【請求項６】
前記筐体は、前記電気機器用取付具が前記第２の位置にある状態において前記電気機器用取付具を収容する収容部をさらに含み、
前記軸部が、前記収容部を跨ぐように設けられている、請求項１から５のいずれかに記載の電気機器。
【請求項７】
前記筐体は、前記周側面の前端寄りの部分を構成するフロントケースと、前記周側面の後端寄りの部分を構成するとともに前記フロントケースに結合されたリアケースとを有し、
前記収容部が、前記フロントケースと前記リアケースとの境目部分における前記周側面に設けられ、
前記軸部が、前記フロントケースに設けられ、
前記収容部が、前記フロントケースおよび前記リアケースに設けられた窪み部にて構成されている、請求項６に記載の電気機器。
【請求項８】
パネルに設けられた開口に嵌め込まれて固定された状態においてパネルよりも前方に位置する部分とパネルよりも後方に位置する部分とを含む筐体を有する電気機器をパネルに固定するための電気機器用取付具であって、
ネジ穴が設けられたベース部と、
前記ベース部から延設され、電気機器の筐体に設けられた軸部に回転可能に係合する係合部と、
前記ネジ穴に螺合するネジ部とを備え、
電気機器の筐体がパネルに対して取り付け可能になる第１の位置と、電気機器の筐体がパネルに対して取り付け不能になる第２の位置との間で移動するように、電気機器の筐体に対して回動可能に組付けられ、
前記第１の位置に配置された状態において、前記ネジ部の先端が電気機器の筐体に設けられた鍔部に対向するように配置され、前記第２の位置に配置された状態において、前記ネジ部の先端が電気機器の筐体に設けられた鍔部に対向しないように配置され、
電気機器がパネルに設けられた開口に嵌め込まれた状態において、前記第２の位置から前記第１の位置に移動され、その後前記ネジ部が前記ベース部に対して捻じ込まれることにより、電気機器の筐体に設けられた移動規制部によって前記ベース部の後方に向けての移動が規制されることで電気機器の鍔部と前記ネジ部とによってパネルに設けられた開口の周縁が挟持され、これにより電気機器の筐体をパネルに対して取り付けることで電気機器をパネルに固定する、電気機器用取付具。
【請求項９】
前記ベース部から延設され、電気機器の筐体に設けられた移動規制部を構成する突き当たり面と当接可能な係止部をさらに備えた、請求項８に記載の電気機器用取付具。
【請求項１０】
前記係合部および前記係止部が、いずれもフック形状を有している、請求項９に記載の電気機器用取付具。
【請求項１１】
前記係合部が、電気機器の筐体に設けられた軸部の延在方向に沿って一対並ぶように前記ベース部から延設され、
前記係止部が、一対の前記係合部の間に位置する部分の前記ベース部から延設されている、請求項９または１０に記載の電気機器用取付具。
【発明の詳細な説明】
【技術分野】
【０００１】
本発明は、電気機器および電気機器用取付具に関し、特に、制御盤等のパネルに固定するために用いられる電気機器用取付具および当該電気機器用取付具が予め組み付けられたパネル固定型の電気機器に関する。
【背景技術】
【０００２】
一般に、産業用途に用いられる電気機器は、その設置に際して制御盤等のパネルに対して固定される。この場合、電気機器は、パネルに設けられた開口に嵌め込まれることにより、設置後の状態において、パネルよりも後方の位置にその大部分が配置されるとともに、パネルよりも前方の位置に表示部等が配置されるように構成される。
【０００３】
上記の電気機器の設置に際しては、電気機器がパネルの開口に嵌め込まれた後に電気機器を固定するための電気機器用取付具が、電気機器の筐体に別途組み付けられる。そして、電気機器用取付具をパネルに向けて押し込み、パネルの前方であって開口周囲に位置する電気機器の前方側の筐体と電気機器用取付具とによってパネルを挟持する。これにより、電気機器がパネルに固定される。
【０００４】
このように、電気機器を嵌めん込んだ後に別途組み付けられた電気機器用取付具を用いてパネルに電気機器を固定するための取付構造が開示された文献として、特開２００７−１２２５５１号公報（特許文献１）がある。
【０００５】
特許文献１に開示された取付構造にあっては、電気機器は、筐体の前端部に設けられた鍔部と、設置状態においてパネルの後方に位置する筐体の外側面に設けられた電気機器用取付具を装着するための係止孔とを備える。電気機器用取付具は、対向する筐体の外側面に沿って延在する細長の板材と、筐体の係止孔に対応し、当該板材の長手方向に沿って設けられた係止片と、当該板材のうち設置状態においてパネルに対向する面に設けられたネジ穴と、当該ネジ穴に螺合装着されるネジとを備える。
【０００６】
上記のような構成にあっては、電気機器がパネルに嵌め込まれた状態にて、まず、筐体の係止孔に電気機器用取付具の係止片が挿入される。そして、筐体に電気機器用取付具が組み付けられた後に、後方からネジ穴に螺合装着されたネジの前端をパネルの背面に押圧させる。これにより、電気機器の前面に位置する筐体の鍔部と当該電気機器用取付具とがパネルを挟持する。この結果、電気機器がパネルに固定される。
【０００７】
また、電気機器を嵌め込んでから固定が完了するまでに、電気機器を仮固定するための取付構造が開示された文献として、特開２０１２−２８４９３号公報（特許文献２）がある。
【０００８】
特許文献２に開示された取付構造にあっては、電気機器は、筐体に設けられ、パネルの開口に係合する少なくとも３個の係合リブを備える。各係合リブは、残りの係合リブをそれぞれ結んだ線と重ならない位置に配置されており、複数個の係合リブのうち少なくとも１つの係合リブは、筐体を開口に嵌め込む際に、開口の辺縁で押され、筐体の内部に収納される可動リブで構成される。たとえば、筐体の下面側の左右両端に２個の係合リブが、筐体の上面側の中央に１個の係合リブが配置され、上面側の中央に位置する係合リブが可動リブで構成されている。
【０００９】
上記のような構成にあっては、電気機器をパネルの開口から挿入する際に、下面側から挿入し、下面側の係合リブとパネルの開口とを係合させた後、可動リブを撓み変形させつつ上面側を挿入し、可動リブが元の状態に復帰することにより、上面側の係合リブが係合する。これにより、電気機器をパネルに仮固定することができる。また、仮固定後から本固定までにあっては、パネル背面に位置する電気機器の筐体に別途電気機器用取付具が組み付けられ、当該電気機器用取付具に含まれるネジがパネルに押し込まれる。これにより、電気機器の前面に位置する筐体の鍔部と当該電気機器用取付具とがパネルを挟持する。この結果、電気機器がパネルに固定される。
【先行技術文献】
【特許文献】
【００１０】
【特許文献１】特開２００７−１２２５５１号公報
【特許文献２】特開２０１２−２８４９３号公報
【発明の概要】
【発明が解決しようとする課題】
【００１１】
一般的に、電気機器を制御盤等のパネルに固定する際の固定作業は、ユーザーによって行われることが多く、このような電気機器にあっては、作業性が良く、簡易かつ迅速に取り付け可能であることが要求される。また、上記の取付作業において、電気機器用取付具がガタつくことなく、安定的に取り付け可能であることも要求される。
【００１２】
特許文献１および特許文献２に開示の取付構造にあっては、電気機器をパネルに嵌め込んだ後に、電気機器の筐体に別途電気機器用取付具を組み付ける必要が生じ、その手間が掛かってしまう。これにより、作業効率が低下してしまう。
【００１３】
また、電気機器用取付具を電気機器の筐体に組み付ける際に、電気機器用取付具を誤って傾けて組み付けたり、強固に組み付けができなかったりした場合には、パネルに電機機器が斜めに固定されたり、電気機器用取付具が外れてしまったりし、再度固定作業をやり直す必要が生じる場合がある。これにより、さらに作業効率が低下することが懸念される。
【００１４】
さらに、別途電気機器用取付具を準備する必要があり、電気機器用取付具を紛失した場合には、電気機器用取付具の組み付けを行うことができず、パネルに電気機器を固定することが困難となる場合がある。また、電気機器の周辺にはその他の電子機器が取り付けられていることが多く、電気機器用取付具を誤って落下させた場合には、その他の電子機器が、落下した電気機器用取付具と接触することによって短絡し、破損する恐れがある。
【００１５】
また、電気機器が設置される工場や研究施設においては、その床面がグレーチング等の格子状に形成された溝蓋で構成される場合が多く、作業中に誤って溝蓋の隙間から床下に電気機器用取付具を落とした場合には、作業が中断されてしまう問題も生じる。
【００１６】
本発明は、上記のような問題に鑑みてなされたものであり、本発明の目的は、パネルに対して簡易かつ迅速に固定が可能であるとともに安定的に固定することができる、電気機器および電気機器用取付具を提供することにある。
【課題を解決するための手段】
【００１７】
本発明に基づく電気機器は、パネルに設けられた開口に嵌め込まれて固定されるものであって、パネルに固定された状態においてパネルよりも前方に位置する部分とパネルよりも後方に位置する部分とを含む筐体と、上記筐体をパネルに対して着脱可能に取り付けるための電気機器用取付具とを備える。上記電気機器用取付具は、上記筐体がパネルに対して取り付け可能になる第１の位置と、上記筐体がパネルに対して取り付け不能になる第２の位置との間で移動するように、上記筐体に対して回動可能に組付けられる。上記筐体の周側面には、外側に向けて立設された鍔部と、当該筐体の周方向に沿って延在する軸部とが設けられる。上記電気機器用取付具は、ネジ穴が設けられたベース部と、上記ベース部から延設され、上記軸部に回転可能に係合する係合部と、上記ネジ穴に螺合するネジ部とを含む。上記電気機器用取付具は、上記第１の位置に配置された状態において、上記ネジ部の先端が上記鍔部に対向するように配置され、上記第２の位置に配置された状態において、上記ネジ部の先端が上記鍔部に対向しないように配置される。上記筐体は、上記電気機器用取付具が上記第１の位置に配置された状態において、上記ベース部が後方に向けて移動することを規制する移動規制部を含む。上記本発明に基づく電気機器は、パネルに設けられた開口に嵌め込まれた状態において、上記電気機器用取付具が上記第２の位置から上記第１の位置に移動され、その後上記ネジ部が上記ベース部に対して捻じ込まれることにより、上記移動規制部によって上記ベース部の後方に向けての移動が規制されることで上記鍔部と上記ネジ部とによってパネルに設けられた開口の周縁が挟持され、これにより上記筐体が上記電気機器用取付具によってパネルに対して取り付けられることでパネルに固定される。
【００１８】
上記本発明に基づく電気機器にあっては、上記電気機器用取付具は、上記ベース部から延設された係止部をさらに含むことが好ましく、上記移動規制部が、上記係止部に当接する突き当たり面にて構成されていることが好ましい。
【００１９】
上記本発明に基づく電気機器にあっては、上記係合部および上記係止部が、いずれもフック形状を有していることが好ましい。
【００２０】
上記本発明に基づく電気機器にあっては、上記係合部が、上記軸部の延在方向に沿って一対並ぶように上記ベース部から延設されることが好ましく、上記係止部が、一対の上記係合部の間に位置する部分の上記ベース部から延設されていることが好ましい。
【００２１】
上記本発明に基づく電気機器にあっては、上記筐体は、上記電気機器用取付具が上記第２の位置にある状態において上記電気機器用取付具に当接することで上記電気機器用取付具の回動を規制する軽保持部をさらに含むことが好ましく、上記軽保持部による規制に抗して上記電気機器用取付具が回動することにより、上記電気機器用取付具が、上記第２の位置から上記第１の位置に移動可能になることが好ましい。
【００２２】
上記本発明に基づく電気機器にあっては、上記筐体は、上記電気機器用取付具が上記第２の位置にある状態において上記電気機器用取付具を収容する収容部をさらに含むことが好ましく、上記軸部が、上記収容部を跨ぐように設けられていることが好ましい。
【００２３】
上記本発明に基づく電気機器にあっては、上記筐体は、上記周側面の前端寄りの部分を構成するフロントケースと、上記周側面の後端寄りの部分を構成するとともに上記フロントケースに結合されたリアケースとを有することが好ましい。この場合には、上記収容部が、上記フロントケースと上記リアケースとの境目部分における上記周側面に設けられ、上記軸部が、上記フロントケースに設けられることが好ましい。さらに、上記収容部が、上記フロントケースおよび上記リアケースに設けられた窪み部にて構成されていることが好ましい。
【００２４】
本発明に基づく電気機器用取付具は、パネルに設けられた開口に嵌め込まれて固定された状態においてパネルよりも前方に位置する部分とパネルよりも後方に位置する部分とを含む筐体を有する電気機器をパネルに固定するためのものである。上記本発明に基づく電気機器用取付具は、ネジ穴が設けられたベース部と、上記ベース部から延設され、電気機器の筐体に設けられた軸部に回転可能に係合する係合部と、上記ネジ穴に螺合するネジ部とを備える。上記本発明に基づく電気機器用取付具は、電気機器の筐体がパネルに対して取り付け可能になる第１の位置と、電気機器の筐体がパネルに対して取り付け不能になる第２の位置との間で移動するように、電気機器の筐体に対して回動可能に組付けられる。上記本発明に基づく電気機器用取付具は、上記第１の位置に配置された状態において、上記ネジ部の先端が電気機器の筐体に設けられた鍔部に対向するように配置され、上記第２の位置に配置された状態において、上記ネジ部の先端が電気機器の筐体に設けられた鍔部に対向しないように配置される。上記本発明に基づく電気機器用取付具は、電気機器がパネルに設けられた開口に嵌め込まれた状態において、上記第２の位置から上記第１の位置に移動され、その後上記ネジ部が上記ベース部に対して捻じ込まれることにより、電気機器の筐体に設けられた移動規制部によって上記ベース部の後方に向けての移動が規制されることで電気機器の鍔部と上記ネジ部とによってパネルに設けられた開口の周縁が挟持され、これにより電気機器の筐体をパネルに対して取り付けることで電気機器をパネルに固定する。
【００２５】
上記本発明に基づく電気機器用取付具は、上記ベース部から延設され、電気機器の筐体に設けられた移動規制部を構成する突き当たり面と当接可能な係止部をさらに備えることが好ましい。
【００２６】
上記本発明に基づく電気機器用取付具にあっては、上記係合部および上記係止部が、いずれもフック形状を有していることが好ましい。
【００２７】
上記本発明に基づく電気機器用取付具にあっては、上記係合部が、電気機器の筐体に設けられた軸部の延在方向に沿って一対並ぶように上記ベース部から延設されることが好ましく、上記係止部が、一対の上記係合部の間に位置する部分の上記ベース部から延設されていることが好ましい。
【発明の効果】
【００２８】
本発明によれば、本発明の目的は、パネルに対して簡易かつ迅速に固定が可能であるとともに安定的に固定することができる、電気機器および電気機器用取付具を提供することができる。
【図面の簡単な説明】
【００２９】
【図１】本発明の実施の形態に係る電気機器の概略斜視図である。
【図２】図１に示す電気機器の分解斜視図である。
【図３】図１に示す電気機器がパネルに固定された固定状態を示す概略斜視図である。
【図４】図１に示す電気機器における電気機器用取付具の概略図である。
【図５】図１に示す電気機器における電気機器用取付具の分解斜視図である。
【図６】図１に示す電気機器の収容部を示す概略図である。
【図７】図６に示す収容部に電気機器用取付具が収容された状態を示す概略図である。
【図８】図１に示す電気機器を固定する際の状態を段階的に示す図である。
【図９】図１に示す電気機器を固定する際の状態を段階的に示す図である。
【図１０】図１に示す電気機器を固定する際の状態を段階的に示す図である。
【図１１】図１に示す電気機器を固定する際の状態を段階的に示す図である。
【発明を実施するための形態】
【００３０】
以下、本発明の実施の形態について、図を参照して詳細に説明する。なお、以下に示す実施の形態においては、同一のまたは共通する部分について図中同一の符号を付し、その説明は繰り返さない。
【００３１】
（実施の形態）
図１は、本実施の形態に係る電気機器の概略斜視図である。図２は、図１に示す電気機器の分解斜視図である。図１および図２を参照して、本実施の形態に係る電気機器１０について説明する。なお、図２においては、便宜上、電気機器１０に含まれる各種内部構成品３０の図示を省略している。
【００３２】
図１および図２に示すように、本実施の形態に係る電気機器１０は、筐体２０および電気機器用取付具３００を備える。筐体２０は、収容空間に連通するように前面に開放部が形成された箱形状を有する。筐体２０の収容空間には、上記開放部を塞ぐように各種内部構成品３０が収容されている。
【００３３】
各種内部構成品３０としては、たとえば、タッチセンサと表示部とが一体化したタッチパネルおよび当該タッチパネルを制御する回路基板等が挙げられる。本実施の形態においては、操作機能を有するタッチパネルが筐体２０の開放部を塞ぐように配置されており、これにより電気機器１０の動作の切り替えや各種の設定等を行なうことができる。
【００３４】
筐体２０は、フロントケース１００およびリアケース２００によって構成されている。また、筐体２０は、その周側面において収容部４０、鍔部１１１、軸部１２２および移動規制部１２４を有する。
【００３５】
収容部４０は、電気機器用取付具３００を収容するための部位であり、筐体２０の周側面の一部が窪むことにより形成される。また、収容部４０は、筐体２０の上面側および下面側のそれぞれにおいて、左右方向（図中Ｘ軸方向）に並んで形成されており、上下方向（図中Ｚ軸方向）に対称に形成されている。
【００３６】
フロントケース１００は、たとえば射出成形品からなり、筐体の周側面の前端寄りの部分を構成する。フロントケース１００は、前端部に鍔部１１１と、鍔部１１１の後方（図中Ｙ軸方向）に延設される枠体部１１２とを有する。
【００３７】
鍔部１１１は、電気機器１０を後述するパネル４００（図３参照）へ設置する際において、電気機器１０とパネル４００との位置を調整するとともにパネル４００に固定される部位である。鍔部１１１は、枠体部１１２の周側面の前端部において外側に向けて立設されており、これにより鍔部１１１の背面１１３は、枠体部１１２の外側へ突出している。
【００３８】
また、枠体部１１２の上面側および下面側には、上述の収容部４０に対応する位置に、第１構造部１２０が、それぞれ形成されている。第１構造部１２０は、枠体部１１２の一部が窪むことによって形成された後述の窪み部１２３（図６参照）を有し、当該窪み部１２３によって収容部４０の一部が規定される。なお、第１構造部１２０の詳細な構成については後述する。
【００３９】
軸部１２２は、電気機器用取付具３００をパネル４００に対して平行方向を回転軸として回動可能に支持するための部位である。軸部１２２は、枠体部１１２の周方向に沿って延在する。軸部１２２は、たとえば左右方向（図中Ｘ軸方向）に沿って延在し、収容部４０を跨ぐように形成されている。
【００４０】
移動規制部１２４は、後述する電気機器用取付具３００の回動とは異なる後方への移動を規制するための部位である。移動規制部１２４は、たとえば、枠体部１１２を上下方向（図中Ｚ軸方向）に貫通する貫通孔を設けることによって形成される。また、移動規制部１２４は、電気機器用取付具３００の後方への移動を抑制するに際し、電気機器用取付具３００に当接する後述の突き当たり面１２４ａ（図１１参照）を有する。
【００４１】
リアケース２００は、たとえば射出成形品からなり、筐体２０の周側面の後端寄りの部分を構成する。リアケース２００は、背面の周縁から前方（図中Ｙ軸負方向）へ延設され、上記枠体部１１２に対応する形状を有する側壁部２１０を有する。これにより、リアケース２００は、前面に開放部を有する箱形状を有する。
【００４２】
また、側壁部２１０の上面側および下面側においては、上述の収容部４０に対応する位置に第２構造部２２０がそれぞれ形成されている。第２構造部２２０は、側壁部２１０の一部が窪むことによって形成された後述の窪み部２２４（図６参照）を有し、当該窪み部２２４によって収容部４０の一部が規定される。また、第２構造部２２０は、収容された電気機器用取付具３００を軽保持するとともに電気機器用取付具３００の回動経路を確保するための部位である。なお、第２構造部２２０の詳細な構成については後述する。
【００４３】
フロントケース１００およびリアケース２００は、フロントケース１００の後端とリアケース２００の前端とが接触した状態で、リアケース２００の背面側からネジが挿入されることによって結合される。この際、第１構造部１２０および第２構造部２２０も結合され、収容部４０が形成される。
【００４４】
なお、第１構造部１２０および第２構造部２２０は、枠体部１１２および側壁部２１０の前端側から後端側に亘って形成されている。これにより、収容部４０は、フロントケース１００とリアケース２００との境目部分における筐体２０の周側面に形成されることになる。
【００４５】
電気機器用取付具３００は、たとえば金属部材によって構成され、筐体２０をパネル４００に対して着脱可能に取り付けるための部位である。電気機器用取付具３００は、筐体２０に対して回動可能となるように予め電気機器１０の軸部１２２に組み付けられており、電気機器１０の固定前まで収容部４０に収容される。
【００４６】
収容部４０に収容された状態にあっては、電気機器用取付具３００は、後述する第２構造部２２０の軽保持部２２５（図６参照）によって軽保持されている。これにより電気機器用取付具３００の回動が規制される。一方、固定の際には、軽保持部２２５による規制に抗して電気機器用取付具３００を回動させることにより第２構造部２２０の軽保持部２２５による軽保持が解除され、これにより電気機器用取付具３００は、回動可能な状態となる。
【００４７】
図３は、図１に示す電気機器がパネルに固定された固定状態を示す概略斜視図である。図３を参照して、本実施の形態に係る電気機器１０がパネル４００に固定された固定状態について説明する。
【００４８】
図３に示すように、電気機器１０は、制御盤等のパネル４００に設けられた開口に嵌め込まれた状態でパネル４００に対して固定される。パネル４００に嵌め込まれた際には、筐体２０の鍔部１１１の背面１１３が、パネル４００の前面に当接する。これにより、電気機器１０がパネル４００に対して位置決めされることになり、鍔部１１１が設けられた部分の電気機器の筐体２０がパネル４００の前方に配置されるとともに、鍔部１１１の後方に位置する部分の電気機器１０の筐体２０がパネル４００の後方に配置される。
【００４９】
このように電気機器１０が位置決めされた状態において、電気機器用取付具３００が、パネル４００に対して平行な方向（図中Ｘ軸方向）を回転軸として後方側から前方側に向けて収容部４０から回動した後に、パネル４００を押圧する。これにより、パネル４００が鍔部１１１と電気機器用取付具３００によって挟持される。この結果、筐体２０が電気機器用取付具３００によってパネル４００に取り付けられ、電気機器１０がパネル４００に固定される。なお、固定の際の電気機器用取付具３００の動作については後述する。
【００５０】
図４は、図１に示す電気機器における電気機器用取付具の概略図である。図５は、図１に示す電気機器における電気機器用取付具の分解斜視図である。図４および図５を参照して、本実施の形態に係る電気機器１０における電気機器用取付具３００について説明する。
【００５１】
図４および図５に示すように、電気機器用取付具３００は、ネジ部３１０、ベース部３２０および一対の係合部３２２を有する。ネジ部３１０は、固定に際してパネル４００に向けて押し込み可能な部位であり、一端側に位置するネジ頭部３１２を含むネジ３１１と他端側に位置する押圧部材３３０とを有する。
【００５２】
ベース部３２０は、扁平な板状形状を有し、その中央には、ネジ部３１０を挿通可能なネジ穴３２４が形成されている。ネジ部３１０がネジ穴３２４と螺合することにより、ネジ部３１０は、ベース部３２０によって相対的に移動可能に装着される。
【００５３】
また、一対の係合部３２２は、上述の軸部１２２に回転可能に係合する部位である。一対の係合部３２２は、ベース部３２０の主表面３２１における一方の長辺の両端から主表面３２１に対してネジ頭部３１２側に延設されており、主表面３２１の他方の長辺と反対側に向けてネジ頭部３１２側から押圧部材３３０側に湾曲するフック形状を有する。
【００５４】
なお、ベース部３２０の主表面３２１は、その長手方向が軸部１２２に平行となるように収容部４０に収容されるため（図７参照）、一対の係合部３２２は、軸部１２２の延在方向に沿って並ぶこととなる。
【００５５】
ベース部３２０の主表面３２１における片側の長辺の両端に設けられた一対の係合部３２２の間には、係止部３２３が形成されている。係止部３２３は、ベース部３２０の主表面３２１に対して押圧部材３３０側に延設されており、ベース部３２０の主表面３２１の他方の長辺と反対側に向けて押圧部材３３０側からネジ頭部３１２側に湾曲するフック形状を有する。係止部３２３は、後述する移動規制部１２４と係合するための部位である。
【００５６】
押圧部材３３０は、略円柱形状を有し、その一端側に設けられたネジ部３１０のネジ頭部３１２と反対側の先端と螺合可能な螺合穴３３１と、他端側にパネル４００を押圧可能な押圧面３３２とを有する。
【００５７】
ネジ部３１０は、ベース部３２０の係合部３２２側からネジ３１１がネジ穴３２４に挿通された後に、押圧部材３３０が、ネジ３１１のネジ頭部３１２と反対側の先端部と螺合することによって構成される。
【００５８】
図６は、図１に示す電気機器の収容部を示す概略図である。図７は、図６に示す収容部に電気機器用取付具が収容された状態を示す概略図である。図６および図７を参照して、本実施の形態に係る電気機器１０における収容部４０について説明する。
【００５９】
図６および図７に示すように、収容部４０は、フロントケース１００の第１構造部１２０とリアケース２００の第２構造部２２０とが結合されることによって形成される。
【００６０】
第１構造部１２０は、一対の突出部１２１、軸部１２２、窪み部１２３および移動規制部１２４を含む。
【００６１】
一対の突出部１２１は、互いに離隔して枠体部１１２の後端から後方（図中Ｙ軸正方向）に突出するように形成されている。一対の突出部１２１の間には、枠体部１１２の一部が収容空間に向けて窪むことにより、鍔部１１１の背面１１３から枠体部１１２の後端に亘って略Ｔ字形状の窪み部１２３が形成されている。また、軸部１２２は、一対の突出部１２１の先端部を左右方向（図中Ｘ軸方向）に亘って接続するように形成されている。また、移動規制部１２４は、窪み部１２３に略中央に形成されており、枠体部１１２に上下方向（図中Ｚ軸方向）に貫通する貫通孔を設けることによって形成されている。
【００６２】
このように構成されることにより、図７に示すように、軸部１２２と窪み部１２３によって規定される空間には、電気機器用取付具３００の一対の係合部３２２の一部が収容されることとなり、第１構造部１２０は、収容部４０の一部を形成することとなる。
【００６３】
また、窪み部１２３が形成される構成にあっては、上述の固定状態において電気機器用取付具３００の押圧部材３３０の一部と、窪み部１２３によって鍔部１１１の背面１１３が拡大された領域とが対向する（図３および図１１参照）。これにより、固定状態において、鍔部１１１の背面１１３に位置するパネル４００と、押圧部材３３０の接触面積を増加させることができ、強固な固定を維持することができる。
【００６４】
第２構造部２２０は、一対の凹部２２１、一対の台座部２２２、突起部２２３および窪み部２２４を含む。
【００６５】
一対の凹部２２１は、互いに離隔して側壁部２１０の前端から後方（図中Ｙ軸正方向）に凹むように形成されている。一対の凹部２２１は、一対の突出部１２１に対応して設けられており、一対の突出部１２１を受け入れ可能に構成されている。
【００６６】
一対の凹部２２１の間には、側壁部２１０の一部が収容空間に向けて窪むことにより、側壁部２１０の前端から後端に亘って窪み部２２４が形成されている。窪み部２２４の左右両端には、互いに離隔する一対の台座部２２２が形成されている。一対の台座部２２２の間には、隙間が形成されている。左側の台座部２２２の後方には、当該台座部２２２と隔てて突起部２２３が形成されている。また、突起部２２３は、撓み変形可能に構成されている。
【００６７】
図７に示すように、電気機器用取付具３００は、係合部３２２が軸部１２２を前方（図中Ｙ軸負方向）から覆うように配置された状態で、押圧部材３３０および係止部３２３が後方（図中Ｙ軸正方向）を向くように収容部４０に収容される。また、収容された状態にあっては、係止部３２３は、押圧部材３３０よりも外側（上方：図中Ｚ軸正方向）に位置する。
【００６８】
電気機器用取付具３００が収容された状態においては、ベース部３２０が当該台座部２２２と突起部２２３とに当接して配置される。この状態において、突起部２２３は、撓み変形することにより、ベース部３２０を当該台座部２２２に押さえつける。これにより、ベース部３２０が当該台座部２２２および突起部２２３によって軽保持される。このように、第２構造部２２０は、突起部２２３および当該台座部２２２によって構成される軽保持部２２５を有する。
【００６９】
また、電気機器用取付具３００が収容された状態にあっては、一対の台座部２２２の間の隙間にネジ部３１０のネジ頭部３１２側が収容される。当該隙間は、ネジ部３１０が回動できるように構成されている。さらに、台座部２２２の上面には、下方（図中Ｚ軸負方向）に湾曲する曲面２２２ａが形成されている。これにより、電気機器用取付具３００が回転した際に、ネジ部３１０および台座部２２２に対向配置される係合部３２２が、台座部２２２と接触することが防止される。この結果、第２構造部２２０において電気機器用取付具３００の回動経路が確保される。
【００７０】
図８ないし図１１は、図１に示す電気機器を固定する際の状態を段階的に示す図である。また、図８ないし図１１は、図３に示すＶＩＩＩ−ＶＩＩＩ線に沿った断面図に対応する断面図である。図８ないし図１１を参照して、電気機器１０をパネル４００に固定する際の電気機器用取付具３００の動作について説明する。
【００７１】
図８に示すように、電気機器１０を固定する際には、まず、電気機器用取付具３００が電気機器１０の収容部４０に収容された状態で、電気機器１０がパネル４００に設けられた開口に前方から嵌め込まれる。この際、フロントケース１００の前端の鍔部１１１の背面１１３がパネル４００の前面に当接し、電気機器１０の固定位置が決定される。
【００７２】
また、電気機器用取付具３００は、係合部３２２の湾曲部とフロントケース１００の軸部１２２との間に隙間が形成された状態で、係合部３２２および係止部３２３が外側（上方側：図中Ｚ軸正方向側）、ベース部３２０が内側（下方側：図中Ｚ軸負方向側）に位置するように上述の軽保持部２２５に軽保持されている。
【００７３】
軽保持された電気機器用取付具３００のネジ部３１０の先端である押圧部材３３０は、パネル４００と対向せずに後方（図中Ｙ軸正方向）を向く。電気機器用取付具３００が軽保持される位置は、押圧部材３３０をパネル４００に押圧させることができないため、筐体２０がパネル４００に対して取り付け不能となる第２の位置に相当する。
【００７４】
続いて、軽保持部２２５による電気機器用取付具３００の回動の規制に抗するように、電気機器用取付具３００を移動させ、軽保持を解除する。これにより、係合部３２２は、軸部１２２に係合し、電気機器用取付具３００は、回動可能となる。
【００７５】
図９に示すように、回動可能となった電気機器用取付具３００を、軸部１２２の延在方向を回転軸として、ＤＲ１方向に回動させる。これにより、係止部３２３がフロントケース１００に近づき、ネジ部３１０の先端の押圧部材３３０がパネル４００に近づく。
【００７６】
図１０に示すように、さらに電気機器用取付具３００をＤＲ１方向に回転させた状態にあっては、係止部３２３の湾曲部側が移動規制部１２４を形成する貫通孔に挿入されるとともに係止部３２３のベース部３２０側がフロントケース１００の周側面に当接する。
【００７７】
また、この状態において、ネジ部３１０の先端の押圧部材３３０は、鍔部１１１の背面１１３に当接するパネルに対して対向する。係止部３２３のベース部３２０側がフロントケース１００の周側面に当接する位置は、筐体２０がパネル４００に対して取り付け可能となる第１の位置に相当する。当該第１の位置にあっては、ネジ部３１０をベース部３２０に対してＤＲ２方向へ捻じ込むことにより押圧部材３３０をパネル４００に押圧させることができる。
【００７８】
図１１に示すように、ネジ部３１０をベース部３２０に対して捻じ込むことにより、ベース部３２０が後方（ＤＲ３方向）に移動し、軸部１２２と係合部３２２の係合が解除されるとともに、係止部３２３が移動規制部１２４の突き当たり面１２４ａに当接する。これにより、ベース部３２０の後方に向けての移動が規制される。
【００７９】
ベース部３２０の後方への移動が規制された状態から、さらにベース部３２０に対してネジ部３１０をパネル４００側に捻じ込むことにより、押圧部材３３０の押圧面３３２がパネル４００に設けられた開口の周縁を押圧する。また、ネジ部３１０を捻じ込むことにより、係止部３２３は移動規制部１２４の突き当たり面１２４ａを後方へ押す。これにより、筐体２０は、後方に向けて引っ張られることになる。
【００８０】
筐体２０が後方に向けて移動することにより、パネル４００前方に位置する鍔部１１１がパネル４００を後方に向けて押圧する。これにより、鍔部１１１とネジ部３１０とによって、パネル４００に設けられた開口の周縁が挟持される。この結果、電気機器１０の筐体２０が電気機器用取付具３００によってパネル４００に取り付けられることで、電気機器１０がパネル４００に固定される。
【００８１】
なお、電気機器用取付具３００を予め筐体２０に組み付ける際は、主として、上述した固定の際の電気機器用取付具３００の動作とほぼ逆の動作を行う。まず、ベース部３２０がフロントケース１００の外側に位置するように、係合部３２２を軸部１２２に係合させる。その後、フロントケース１００にリアケース２００を結合させる。この結合により形成された収容部４０に電気機器用取付具３００が収容されるように、軸部１２２を回転軸として電気機器用取付具３００を回動させる。収容部４０に回動された電気機器用取付具３００は、軽保持部２２５によって軽保持される。
【００８２】
以上のように、本発明に基づく電気機器１０は、電気機器用取付具３００が、ネジ部３１０の先端がパネルに対向しないことにより筐体２０がパネル４００に対して取り付け不能となる第２の位置から、ネジ部３１０の先端がパネルに対向することにより筐体２０がパネル４００に対して取り付け可能となる第１の位置にまで移動するように、筐体２０に対して回動可能に組み付けられている。
【００８３】
また、筐体２０には、電気機器用取付具３００が上述の第１の位置に配置された状態において、ベース部３２０が後方に向けて移動することを規制する移動規制部１２４が設けられている。
【００８４】
そして、電気機器１０のパネル４００への固定に際して、電気機器１０は、電気機器用取付具３００を第２の位置から第１の位置まで移動させた状態において、電気機器用取付具３００のネジ部３１０がベース部３２０に対して捻じ込まれることにより、移動規制部１２４によってベース部３２０の後方に向けての移動が規制されることで鍔部１１１とネジ部３１０とによってパネル４００に設けられた開口の周縁が挟持され、これにより筐体２０が電気機器用取付具３００によってパネル４００に対して取り付けられることでパネル４００に固定される。
【００８５】
上記のように構成することにより、本実施形態に係る電気機器１０にあっては、予め電気機器用取付具３００が組み付けられていることから、電気機器１０を嵌め込んだ後に別途電気機器用取付具３００を電気機器１０に組み付けるという従来必要であった作業を省略することできる。これにより、電気機器１０を迅速にパネルに固定することが可能となる。
【００８６】
また、本実施の形態に係る電気機器１０にあっては、予め組み付けられた電気機器用取付具３００を回動させた後にネジ部を捻じ込むこという比較的簡易な作業を行うことにより、電気機器１０をパネル４００に固定することが可能となる。
【００８７】
さらに、本実施の形態に係る電気機器１０にあっては、移動規制部１２４を設けた構成とすることにより、ベース部３２０から延設される係止部３２３と移動規制部１２４とが、ネジ部３１０をベース部３２０に対して捻じ込む際に係合し、ベース部３２０が筐体２０に固定される。これにより、作業時に電気機器用取付具３００が外れることがなく、また、ベース部３２０の位置がガタつくことなく、電気機器１０を安定して固定することができる。さらに、電気機器用取付具３００の回動中においても、係合部３２２と軸部１２２が係合しており、電気機器用取付具３００を紛失することがないため、取付作業が中断されることを防止することができる。
【００８８】
加えて、本実施の形態に係る電気機器１０にあっては、軸部１２２に電気機器用取付具３００の係合部３２２を回転可動に係合させ、電気機器用取付具３００が、収容部４０に収容されるように回動されることで筐体２０に組み付けられる。これにより、予め筐体２０に電気機器用取付具３００を組み付ける際にも、容易に組み付けることができる。
【００８９】
したがって、本実施の形態に係る電気機器１０にあっては、予め電気機器用取付具３００が組み付けられることにより、パネルに対して簡易かつ迅速に固定が可能であるとともに安定的に固定することができる。
【００９０】
上述した実施の形態においては、一対の電気機器用取付具３００および収容部４０が、筐体２０の上面および下面のそれぞれにおいて、左右方向に並んで配置されており、上下方向に対称に配置されている場合を例示して説明したが、これに限定されず、電気機器用取付具３００および収容部４０の配置および数は適宜変更することができる。たとえば、上述の配置において、１つまたは３つ以上の電気機器用取付具３００および収容部４０が、筐体２０の上面および下面のそれぞれに配置されていてもよいし、１つ以上の電気機器用取付具３００および収容部４０が、筐体２０の左側面および右側面のそれぞれに設けられていてもよい。
【００９１】
また、上述した実施の形態においては、筐体２０に収容部４０が形成される場合を例示して説明したが、これに限定されず、筐体２０に収容部４０が形成されなくてもよい。この場合には、鍔部１１１を幅広に構成し、電気機器用取付具３００は、当該鍔部１１１の後方内側に位置するように筐体２０の周側面に組み付けられる。また、この場合には、ネジ部３１０が鍔部１１１の背面１１３に当接するパネルを押し込み可能となるように、ネジ部３１０は、組み付けられた位置から外側に移動するように筐体２０に組み付けられる。
【００９２】
また、上述した実施の形態においては、電気機器用取付具３００のネジ部３１０がその先端に押圧部材３３０を含む場合を例示して説明したが、これに限定されず、押圧部材３３０が含まれていなくてもよい。この場合には、ネジ３１１のネジ頭部３１２と反対側の先端によってパネル４００が押圧される。
【００９３】
また、上述した実施の形態においては、電気機器用取付具３００が、１対の係合部３２２および１つの係止部３２３を有するとともに、筐体２０が１つの移動規制部１２４を有する場合を例示して説明したが、これに限定されず、これらの配置および数は適宜変更することができる。
【００９４】
また、上述した実施の形態においては、移動規制部１２４が、筐体２０に貫通孔を設けることによって形成される場合を例示して説明したが、これに限定されず、筐体２０から突出する突出物を設けることによって形成されてもよい。また、これに対応して係止部３２３の形状も移動規制部に係合可能であれば適宜変更するこができる。
【００９５】
また、上述した実施の形態においては、電気機器１０のフロントケース１００およびリアケース２００を樹脂製とし、電気機器用取付具３００が金属製とした場合を例示して説明したが、これらの材質は特に限定されるものではなく、適宜その変更が可能である。
【００９６】
また、上述した実施の形態においては、軸部１２２が、フロントケース１００の後端から突出した一対の突出部１２１を接続するように形成される場合を例示して説明したが、これに限定されず、フロントケース１００の後端と面一に形成されてもよい。この場合には、たとえば、フロントケース１００の後端から前方へ離れた位置に上方から下方に貫通する貫通孔が設けられることにより、軸部１２２が形成される。
【００９７】
また、上述した実施の形態においては、筐体２０がフロントケース１００およびリアケース２００によって構成される場合を例示して説明したが、これに限定されず、さらに複数に分割されていてもよいし、筐体２０が射出成形にて一体に構成されていてもよい。
【００９８】
また、本発明が適用された電気機器は、パネル固定型の電気機器であれば、どのようなものにもその適用が可能である。
【００９９】
以上、本発明の実施の形態について説明したが、今回開示された実施の形態はすべての点で例示であって制限的なものではない。本発明の範囲は特許請求の範囲によって示され、特許請求の範囲と均等の意味および範囲内でのすべての変更が含まれる。
【符号の説明】
【０１００】
１０  電気機器、２０  筐体、３０  内部構成品、４０  収容部、１００  フロントケース、１１１  鍔部、１１２  枠体部、１１３  背面、１２０  第１構造部、１２１  突出部、１２２  軸部、１２３  窪み部、１２４  移動規制部、１２４ａ  突き当たり面、２００  リアケース、２１０  側壁部、２２０  第２構造部、２２１  凹部、２２２  台座部、２２２ａ  曲面、２２３  突起部、２２４  窪み部、２２５  軽保持部、３００  電気機器用取付具、３１０  ネジ部、３１１  ネジ、３１２  ネジ頭部、３２０  ベース部、３２１  主表面、３２２  係合部、３２３  係止部、３２４  ネジ穴、３３０  押圧部材、３３１  螺合穴、３３２  押圧面、４００  パネル。
【図１】
2014192410.tif 000003
【図２】
2014192410.tif 000004
【図３】
2014192410.tif 000005
【図４】
2014192410.tif 000006
【図５】
2014192410.tif 000007
【図６】
2014192410.tif 000008
【図７】
2014192410.tif 000009
【図８】
2014192410.tif 000010
【図９】
2014192410.tif 000011
【図１０】
2014192410.tif 000012
【図１１】
2014192410.tif 000013